【事件の表示】
　平成　５年特許願第２４３８６５号「飼料組成物及び飼料」拒絶査定不服審判事件〔平成　７年　３月１４日出願公開、特開平　７−　６７５４４〕について、次のとおり審決する。
【結　論】
　本件審判の請求は、成り立たない。
【理　由】
１．手続の経緯・本願発明
　本願は、平成５年９月３日の出願であって、その請求項１ないし３に係る発明は、平成１４年６月５日付けの手続補正書により補正された明細書の特許請求の範囲の請求項１ないし３に記載されたとおりのものと認められ、そのうち請求項２に係る発明は次のとおりである。
「【請求項２】（＋）−カテキン，（＋）−ガロカテキン，（−）−ガロカテキンガレート，（−）−エピカテキンガレート，（−）−エピガロカテキン，および（−）−エピガロカテキンガレート，遊離型テアフラビン，テアフラビンモノガレートＡ，エアフラビンモノガレートＢ，テアフラビンジガレートからなるタンニン類より選ばれる１種又は２種以上の化合物と、特異的鶏卵抗体を併用することを特徴とする下痢症の予防又は治療用飼料組成物。」
　
２．刊行物等の記載事項
（１）原査定の拒絶の理由に引用され、本願の出願日前に頒布された特開平５−５１号公報（以下、「刊行物１」という。）には、以下の事項が記載されている。
（１ａ）「（＋）−カテキン，（＋）−ガロカテキン，（−）−ガロカテキンガレート，（−）−エピカテキン，（−）−エピカテキンガレート，（−）−エピガロカテキン，および（−）−エピガロカテキンガレートからなるポリフェノール化合物群より選ばれる一つ又は複数の化合物を含有し、かつ整腸作用を有することを特徴とする動物飼料添加物。」（【請求項１】）、
（１ｂ）「【従来の技術】　近年、畜産業界において、ウシ，ブタ，ニワトリ等の家畜の生産性向上のため飼育環境が過密状態になってきている。このような状況下で、ストレス等の諸要因により家畜の腸内細菌叢に異常が生じると、クロストリジウム・パーフリンジェンスＣ型菌のような腸内腐敗細菌、エスシェリシア・コリー，ビブリオ・コレラ，黄色ブドウ状球菌，サルモネラ属細菌等の下痢性細菌，下痢性ウイルスに感染しやすくなり腸炎や，下痢，白痢，赤痢等を引き起こし、畜舎全滅の状況に陥ることもあり、業界にとって大きな問題である。また、一般家庭で飼育しているペットにおいては、ペットフードに用いられる原料の多様化によって、ペットの下痢症等の疾病が問題になってきている。・・・そのため動物の腸内のｐＨを低く保ち、ビフィズス菌等の有用菌が生育しやすく、腸内腐敗細菌や下痢性細菌等の有害菌が生育し難い腸内環境をつくる。即ち、整腸作用を持つ物質の出現が強く望まれている。・・・」（段落【０００２】）、
（１ｃ）「本発明は、従来の飼料添加物に代わって、環境の面から安全で、かつ動物の整腸作用の促進に効果があり、さらには、糞，尿の消臭効果をもたらす優れた動物飼料添加物を供することにある。」（段落【０００３】）、
（１ｄ）「・・・整腸作用とは動物の腸内のｐＨを低く保ち、ビフィズス菌等の有用菌が生育しやすく、腸内腐敗細菌や下痢性細菌等の有害菌が生育し難い腸内環境、つまり腸内細菌叢を改善することを指す。・・・」（段落【０００８】）、
（１ｅ）「【実施例】　実施例１．ポリフェノール化合物の調製
　煎茶２００ｇを８５℃の熱水４リットルで３０分攪拌しながら抽出し、茶葉を濾過により除き３．４リットルの抽出液を得た。この液を限外濾過装置・・・を用いて通過液３リットルを得た。濃縮残液に水１リットルを加え同様に操作し，通過液１．２リットルを得た。両液を合わせ逆浸透膜・・・により濃縮し２００ミリリットルとして凍結乾燥し，純度３５％のポリフェノール化合物４８．６ｇを得た。得られたポリフェノール化合物の成分組成は、（＋）−カテキン３．５％，（＋）−ガロカテキン１４．８％，（−）−ガロカテキンガレート１１．６％，（−）−エピカテキン７％，（−）−エピカテキンガレート４．６％，（−）−エピガロカテキン１５．０％，および（−）−エピガロカテキンガレート１８．０％であった。」（段落【０００９】）、
（１ｆ）実施例２として、基本飼料に実施例１のポリフェノール化合物を含有させた養豚用固形飼料を作成したこと（段落【００１０】）、
（１ｇ）試験例１として、「実施例２に示した養豚用飼料を用いて、８匹の子豚を基本飼料で１４日間予備飼育した後、本発明添加物含有飼料を投与して２８日間飼育した。なお、飼料および水は自由に摂取させた。そして、整腸作用を示す効果として有用菌であるビフィドバクテリウム属細菌の占有率、有害菌であるクロストリジウム属細菌の菌数，糞便のｐＨを測定し、基本飼料で測定したときの値を１００として，試験飼料で飼育した時の数値を表１に示した。」こと、表１には、基本飼料で測定したときの値を１００として，試験飼料で飼育した時の試験試料中のビフィドバクテリウム属細菌は１９１．３、クロストリジウム属細菌は８２．２であったこと（段落【００１３】〜【００１４】）。
　
（２）同じく、特開平４−１２００１６号公報（以下、「刊行物２」という。）には、次の事項が記載されている。
（２ａ）「抗体含有粉末と植物油とを必須成分とする動物用抗体含有ペースト製剤であって、ペースト製剤全重量に対する植物油の割合が３０〜７０重量％である動物用抗体含有油性ペースト製剤。」（特許請求の範囲）
（２ｂ）「本発明は、家畜、特に新生家畜の感染症の予防あるいは治療のために経口投与するのに好適な抗体含有油性ペースト製剤に関する。」（１頁左下欄１１行〜１３行）、
（２ｃ）「一方、本発明者等は、予め抗原を接種した鶏が産生じた免疫卵から、特定抗原に特異的な抗体を調製する方法により、抗体価の高い抗体含有材料を簡単に得られることを先に提示した（特開昭６２−２１５５３４号公報）、この材料は粉末状で得ることができるが、投与の際には水や人工乳等に溶かすため、やはり手間がかかったり、製剤の性質上、粉末の飛散、あるいは吸湿による変質、カビの発生等の問題がある。」（２頁右下欄１６行〜２頁左上欄４行）、
（２ｄ）「本発明は、動物に強制経口投与するのに簡便であり、保存時の抗体価の安定性がよく、感染症の予防治療に効果的な抗体含有製剤を提供することを目的とする。」（２頁左上欄１４行〜１７行）、
（２ｅ）「得られたペースト製剤は適度な粘性を有し、例えば、シリンジやチューブに充填した製品形態とすることができ、強制経口投与に便利である。シリンジやチューブに充填した製品の場合、・・・製剤を強制的に経口投与できる。この方法では、必要量を確実に投与することができ、親豚から直接哺乳するため製剤を飼料や飲料水に混ぜて投与しにくい新生豚の場合、特に有利である。」（３頁左上欄１６行〜右上欄５行）、
（２ｆ）「参考例（抗体含有粉末の調製）
　ブタの下痢由来大腸菌であるＥＴＥＣのＧＬ−１６株（Ｋ８８線毛陽性）、ＧＬ−９６株（Ｋ９９線毛陽性）およびＧＬ−１４８株（９８７Ｐ線毛陽性）をそれぞれ・・・培養した後遠心により菌体を集め、ホモジナイザーにかけＫ８８，Ｋ９９および９８７Ｐの各線毛を分離した。得られた線毛をそれぞれ・・・筋肉注射し、１回目の免疫を行い、その６週間後に２回目の免疫を１回目と同様にして行った。この鶏が産んだ卵を免疫鶏卵として使用する。免疫鶏卵から卵黄を分離し、・・・希釈した後、これに、メタクリル酸とアクリル酸エチルの共重合体・・・に水を加えて調製したエマルジョンを、混合後の卵黄液中の共重合体の濃度が０．３％となるような量で加えた。２５℃で攪拌後３０分間放置し、５０００ｇで２０分間遠心した後上清を得た。スプレードライヤーにより８０℃で３分間乾燥し、特異抗体含有粉末を得た。
実施例１（本発明のペースト製剤の調製）
　参考例で製造したＥＴＥＣのＫ８８、Ｋ９９、９８７Ｐ線毛抗原に対する特異抗体含有粉末の抗体価を常法に従い菌体凝集反応により測定した・・・。これらの原末を使用し、Ｋ８８、Ｋ９９および９８７Ｐに対する抗体価がいずれも１０００倍になるように賦形剤、植物油、活性剤および粉末糖を配合することにより本発明の油性ペースト製剤を調製した。」（３頁左下欄１１行〜右下欄１９行）、
（２ｇ）「実施例５　本発明の油性ペースト製剤を用いて、腸内毒素原性大腸菌に感染させた新生豚の治療を目的とした製剤の効果試験を実施した。実験動物としては生後１日のラージホワイト種を使用した。大腸菌の感染は、２×１０１１ｃｆｕ／ｍｌのＧＬ−１６株（Ｋ８８線毛陽性）、ＧＬ−９６株（Ｋ９９線毛陽性）および２×１０９ｃｆｕ／ｍｌのＧＬ−１４８株（９８７Ｐ線毛陽性）の菌体分散液をそれぞれ１頭につき５ｍｌずつ、胃内に投与することにより行った。・・・下痢が観察されたら直ちに、所定量の本発明ペースト製剤（サンプル４）を１日３回、３日間強制経口投与した。測定項目は感染後の直腸採取物中の菌分離率（菌陽性頭数／実験頭数）の測定、及び実験動物の体重の推移（感染前に対する体重の増減率）である。菌分離率を第５表に、体重の推移を第６表に示す。第５表および第６表から明らかなように、製剤の投与量の増加にともない、発症後の菌検出率の低下、下痢の回復による体重の増加がみられ、製剤の効果が発現している。」（５頁左下欄５行〜６頁左上欄下から５行）、
（２ｈ）「（発明の効果）　本発明によれば、強制経口投与が簡便な抗体含有油性ペースト製剤を提供できる。この製剤は、抗体含有製剤として、感染症の予防および治療に優れた効果を発揮でき、しかも、水性製剤に比べ、抗体価の安定性の点で優れ、長期保存後の使用も可能である。」（６頁左上欄下から４行〜右上欄３行）。　
　
３．対比・判断
　本願請求項２に係る発明と刊行物１に記載された発明とを比較すると、刊行物１に記載された発明の「（＋）−カテキン，（＋）−ガロカテキン，（−）−ガロカテキンガレート，（−）−エピカテキンガレート，（−）−エピガロカテキン，および（−）−エピガロカテキンガレート」は、タンニン類の一種であるから、両者は、「（＋）−カテキン，（＋）−ガロカテキン，（−）−ガロカテキンガレート，（−）−エピカテキンガレート，（−）−エピガロカテキン，および（−）−エピガロカテキンガレートからなるタンニン類より選ばれる１種又は２種以上の化合物を含む飼料組成物。」である点で一致し、次の点で相違する。
　相違点１：請求項２に係る発明では、上記特定のタンニン類とともに、特異的鶏卵抗体を併用するのに対し、刊行物１に記載された発明は、特異的鶏卵抗体を併用することは示されていない点。
　相違点２：請求項２に係る発明は、下痢症の予防又は治療用の飼料組成物であるのに対し、刊行物２に記載された発明は、整腸作用を有するものであることは記載されているものの、特に下痢症の予防又は治療用であることは示されていない点。
　
　上記相違点１、２について検討する。
　刊行物１には、家畜は、ストレス等の諸要因により家畜の腸内細菌叢に異常が生じ、腸内腐敗細菌、下痢性細菌，下痢性ウイルスに感染しやすくなり腸炎や，下痢，白痢，赤痢等を引き起こしやすいこと、これらの有害菌が生育しにくい腸内環境をつくるために、（＋）−カテキン，（＋）−ガロカテキン，（−）−ガロカテキンガレート，（−）−エピカテキンガレート，（−）−エピガロカテキン，および（−）−エピガロカテキンガレート等（以下、「タンニン類」という。）を飼料に配合することが記載され、タンニン類を添加した飼料を与えることにより、腸内において有用菌であるビフィドバクテリウム属細菌が増加し、有害菌であるクロストリジウム属細菌が減少することが記載されている。
　これらの記載によれば、刊行物１には、タンニン類を含む飼料組成物は、ストレス等の諸要因による家畜の腸内細菌叢の異常に起因する下痢症を予防できることが実質的に示されている。
　一方、刊行物２には、動物の下痢の原因となる細菌の有する抗原に対する特異的鶏卵抗体を経口投与することにより、感染性の下痢の予防及び治療が可能となることが記載され、さらに特異的鶏卵抗体は、水や人工乳あるいは飼料と混ぜて投与できることが示されている（２ｃ、２ｅ）。
　そうすると、下痢症の予防又は治療を目的として、タンニン類とともに、対象となる動物の下痢症の原因となる細菌の有する抗原に対する特異的鶏卵抗体を飼料組成物に配合することは当業者が容易に想到しうることであり、その効果は、刊行物１、２に記載された発明から予測できる程度のことである。
　
４．むすび
　以上のとおり、本願の請求項２に係る発明は、その発明の属する技術の分野における通常の知識を有する者が、刊行物１及び刊行物２に記載された発明に基づいて容易に発明をすることができたものであるから、特許法第２９条第２項の規定により特許を受けることができないものであり、他の請求項に係る発明について検討するまでもなく、本願は拒絶すべきものである。
　よって、結論のとおり審決する。